(57)【要約】      （修正有）【課題】再生装置のユーザの意図しない動作を防止する。【解決手段】ビデオレコーダ１と、このビデオレコーダが接続されたサーバ装置３１と、このサーバ装置３１と無線ネットワークを介して情報通信可能に接続されたクライアント端末装置等から構成されたクライアント・サーバシステムであって、サーバ装置３１は、クライアント端末装置から送信され無線通信部３１３により受信された指示信号に応じた所定の動作指示信号を送信する信号送信部３２１と、第三者からの意図しない指示に基づくリモートコントロール装置から送信される動作指示信号の受信を遮断するシャッター３２３とを有するＩＲ発信ユニット３２を備える。【選択図】図４
2007318231.tif 000002
【特許請求の範囲】
【請求項１】
各種情報を再生する再生装置と、前記再生装置と接続され、当該再生装置により再生される情報を送信する再生情報送信手段を有するサーバ装置と、前記サーバ装置と無線通信回線を介して接続され、前記再生情報送信手段から送信された情報を受信する再生情報受信手段を有するクライアント端末装置と、を備え、前記再生装置の動作を制御する再生装置動作制御システムにおいて、
前記再生装置は、
複数の動作のうち、所定動作の実行を指示する動作指示信号を送信する動作指示信号送信手段を有するリモートコントロール装置と、
再生装置本体の外面から露出されるように配設され、前記動作指示信号送信手段から送信された前記動作指示信号を受信する動作指示信号受信手段と、
前記動作指示信号受信手段により受信された前記動作指示信号に応じた前記所定動作の実行を制御する動作制御手段と、を備え、
前記クライアント端末装置は、
前記再生装置による前記複数の動作のうちの一の動作の実行指示に関連する実行動作関連信号を前記無線通信回線を介して送信する関連信号送信手段を備え、
前記サーバ装置は、
前記関連信号送信手段から送信された前記実行動作関連信号を受信する関連信号受信手段と、
前記関連信号受信手段により受信された前記実行動作関連信号に基づいて、前記リモートコントロール装置の操作に基づいて前記一の動作の実行が指示された場合に前記動作指示信号送信手段から送信される動作指示信号と略同一の同一動作指示信号を送信する同一信号送信手段と、
前記関連信号受信手段による前記実行動作関連信号の受信に基づいて、前記動作指示信号受信手段による前記動作指示信号の受信を遮断する信号受信遮断手段と、
前記信号受信遮断手段による前記動作指示信号の受信の遮断に基づいて、前記再生装置が外部からの操作が無効状態であることを報知する報知手段とを備え、
前記信号受信遮断手段は、
前記動作指示信号受信手段を覆う遮蔽部材と、
前記動作指示信号受信手段に対して、前記動作制御手段により実行制御不可の動作の指示に係る実行不可動作指示信号を所定周期で送信する実行不可信号送信手段とを備えることを特徴とする再生装置動作制御システム。
【請求項２】
各種情報を再生する再生装置と、前記再生装置と接続され、当該再生装置により再生される情報を送信する再生情報送信手段を有するサーバ装置と、前記サーバ装置と無線通信回線を介して接続され、前記再生情報送信手段から送信された情報を受信する再生情報受信手段を有するクライアント端末装置と、を備え、前記再生装置の動作を制御する再生装置動作制御システムにおいて、
前記再生装置は、
複数の動作のうち、所定動作の実行を指示する動作指示信号を送信する動作指示信号送信手段を有するリモートコントロール装置と、
前記動作指示信号送信手段から送信された前記動作指示信号を受信する動作指示信号受信手段と、
前記動作指示信号受信手段により受信された前記動作指示信号に応じた前記所定動作の実行を制御する動作制御手段と、を備え、
前記クライアント端末装置は、
前記再生装置による前記複数の動作のうちの一の動作の実行指示に関連する実行動作関連信号を前記無線通信回線を介して送信する関連信号送信手段を備え、
前記サーバ装置は、
前記関連信号送信手段から送信された前記実行動作関連信号を受信する関連信号受信手段と、
前記関連信号受信手段により受信された前記実行動作関連信号に基づいて、前記リモートコントロール装置の操作に基づいて前記一の動作の実行が指示された場合に前記動作指示信号送信手段から送信される動作指示信号と略同一の同一動作指示信号を送信する同一信号送信手段と、
前記関連信号受信手段による前記実行動作関連信号の受信に基づいて、前記動作指示信号受信手段による前記動作指示信号の受信を遮断する信号受信遮断手段と、を備えることを特徴とする再生装置動作制御システム。
【請求項３】
前記動作指示信号受信手段は、再生装置本体の外面から露出されるように配設され、
前記信号受信遮断手段は、前記動作指示信号受信手段を覆う遮蔽部材を備えることを特徴とする請求項２に記載の再生装置動作制御システム。
【請求項４】
前記信号受信遮断手段は、前記動作指示信号受信手段に対して、前記動作制御手段により実行制御不可の動作の指示に係る実行不可動作指示信号を所定周期で送信する実行不可信号送信手段を備えることを特徴とする請求項２に記載の再生装置動作制御システム。
【請求項５】
前記サーバ装置は、前記信号受信遮断手段による前記動作指示信号の受信の遮断に基づいて、前記再生装置が外部からの操作が無効状態であることを報知する報知手段を備えることを特徴とする請求項２〜４の何れか一項に記載の再生装置動作制御システム。
【発明の詳細な説明】
【技術分野】
【０００１】
本発明は、再生装置の所定動作を制御する再生装置動作制御システムに関する。
【背景技術】
【０００２】
従来、ビデオレコーダ、ＤＶＤ（Digital Versatile Disk）プレイヤ、オーディオ装置等のＡＶ機器（再生装置）が接続されたサーバ装置と、ＴＶ装置が接続されたクライアント端末装置とが無線ＬＡＮ等を介して接続されたクライアント・サーバシステムが知られている。
このシステムにあっては、サーバ装置は、クライアント端末装置から送信され受信した所定の動作指示信号に従ってＡＶ機器を制御して、当該ＡＶ機器から再生される各種情報をクライアント端末装置に伝送してＴＶ装置から再生したり、ビデオレコーダ等による録画予約を実行するようになっている。
具体的には、例えば、図７に示すように、サーバ装置５００は、制御部５０１ａを有するサーバ装置本体５０１と、ビデオレコーダ６００のレコーダ本体６０１の赤外線を受信する信号受信部６０１ａに対向配置されて、当該ビデオレコーダ６００の所定動作の実行を指示する動作指示信号を発信する信号送信部５０２ａを有するＩＲ発信ユニット５０２等を備えている。そして、ビデオレコーダ６００は、信号送信部５０２ａから発信された赤外線（動作指示信号）を信号受信部６０１ａにて受光して、当該動作指示信号に応じた所定動作を制御部６０１ｂの制御下にて実行するようになっている。
これにより、ＴＶ装置をＡＶ機器と異なる部屋や、同じ部屋であっても所定の距離以上離れた場所に配置した場合に、ＡＶ機器から提供されるコンテンツをユーザは楽しむことができるようになっている。
【０００３】
ところで、ビデオレコーダ６００の信号受信部６０１ａは、レコーダ本体６０１の外面から露出されているため、ビデオレコーダ６００のＡＶ情報を視聴している際に、当該ビデオレコーダ６００に備わるリモコン６０２の操作や外部機器のリモコンの操作に基づいて発せられる赤外線が信号受信部６０１ａにて受光されると、ビデオレコーダ６００がユーザの意図しない動作（誤動作）を行ってしまうといった問題がある。
【０００４】
なお、ビデオレコーダが誤動作等を防止する技術として、赤外線受光部を覆うように、一部に開口部を有するアルミニウム製の遮蔽材を設けることで赤外線受光部による赤外線の受光を制限する装置（例えば、特許文献１参照）や、リモコン部からの赤外線の発信をホスト部が制御する赤外線通信装置（例えば、特許文献２参照）等が知られている。
また、一のリモートコントロール装置を用いて複数の機器を遠隔操作する場合に、動作コードに加えて所定の固有コードを送信することで、隣接家庭に存する同型機器の誤動作を防止する技術も開発されている（例えば、特許文献３参照）。
【特許文献１】特開平９−１３０８８３号公報
【特許文献２】特開２００２−１９１０８５号公報
【特許文献３】特開平６−１７８３６１号公報
【発明の開示】
【発明が解決しようとする課題】
【０００５】
しかしながら、クライアント・サーバシステムに特許文献１の技術を適用しても、ユーザの意図しない誤動作を招く赤外線の赤外線受光部による受光を完全に遮断することができないといった問題がある。
なお、特許文献２や特許文献３等にあっては、一のリモートコントロール装置を用いるために、サーバ装置とクライアント端末装置とが異なる部屋に配置された場合等には、リモートコントロール装置を持ち運ぶ必要があり、利便性が悪いといった問題がある。
【０００６】
そこで、本発明の課題は、再生装置のユーザの意図しない動作を防止することができる再生装置動作制御システムを提供することである。
【課題を解決するための手段】
【０００７】
上記課題を解決するため、請求項１に記載の発明は、
各種情報を再生する再生装置と、前記再生装置と接続され、当該再生装置により再生される情報を送信する再生情報送信手段を有するサーバ装置と、前記サーバ装置と無線通信回線を介して接続され、前記再生情報送信手段から送信された情報を受信する再生情報受信手段を有するクライアント端末装置と、を備え、前記再生装置の動作を制御する再生装置動作制御システムにおいて、
前記再生装置は、
複数の動作のうち、所定動作の実行を指示する動作指示信号を送信する動作指示信号送信手段を有するリモートコントロール装置と、
再生装置本体の外面から露出されるように配設され、前記動作指示信号送信手段から送信された前記動作指示信号を受信する動作指示信号受信手段と、
前記動作指示信号受信手段により受信された前記動作指示信号に応じた前記所定動作の実行を制御する動作制御手段と、を備え、
前記クライアント端末装置は、
前記再生装置による前記複数の動作のうちの一の動作の実行指示に関連する実行動作関連信号を前記無線通信回線を介して送信する関連信号送信手段を備え、
前記サーバ装置は、
前記関連信号送信手段から送信された前記実行動作関連信号を受信する関連信号受信手段と、
前記関連信号受信手段により受信された前記実行動作関連信号に基づいて、前記リモートコントロール装置の操作に基づいて前記一の動作の実行が指示された場合に前記動作指示信号送信手段から送信される動作指示信号と略同一の同一動作指示信号を送信する同一信号送信手段と、
前記関連信号受信手段による前記実行動作関連信号の受信に基づいて、前記動作指示信号受信手段による前記動作指示信号の受信を遮断する信号受信遮断手段と、
前記信号受信遮断手段による前記動作指示信号の受信の遮断に基づいて、前記再生装置が外部からの操作が無効状態であることを報知する報知手段とを備え、
前記信号受信遮断手段は、
前記動作指示信号受信手段を覆う遮蔽部材と、
前記動作指示信号受信手段に対して、前記動作制御手段により実行制御不可の動作の指示に係る実行不可動作指示信号を所定周期で送信する実行不可信号送信手段とを備えることを特徴としている。
【０００８】
請求項２に記載の発明は、
各種情報を再生する再生装置と、前記再生装置と接続され、当該再生装置により再生される情報を送信する再生情報送信手段を有するサーバ装置と、前記サーバ装置と無線通信回線を介して接続され、前記再生情報送信手段から送信された情報を受信する再生情報受信手段を有するクライアント端末装置と、を備え、前記再生装置の動作を制御する再生装置動作制御システムにおいて、
前記再生装置は、
複数の動作のうち、所定動作の実行を指示する動作指示信号を送信する動作指示信号送信手段を有するリモートコントロール装置と、
前記動作指示信号送信手段から送信された前記動作指示信号を受信する動作指示信号受信手段と、
前記動作指示信号受信手段により受信された前記動作指示信号に応じた前記所定動作の実行を制御する動作制御手段と、を備え、
前記クライアント端末装置は、
前記再生装置による前記複数の動作のうちの一の動作の実行指示に関連する実行動作関連信号を前記無線通信回線を介して送信する関連信号送信手段を備え、
前記サーバ装置は、
前記関連信号送信手段から送信された前記実行動作関連信号を受信する関連信号受信手段と、
前記関連信号受信手段により受信された前記実行動作関連信号に基づいて、前記リモートコントロール装置の操作に基づいて前記一の動作の実行が指示された場合に前記動作指示信号送信手段から送信される動作指示信号と略同一の同一動作指示信号を送信する同一信号送信手段と、
前記関連信号受信手段による前記実行動作関連信号の受信に基づいて、前記動作指示信号受信手段による前記動作指示信号の受信を遮断する信号受信遮断手段と、を備えることを特徴としている。
【０００９】
請求項３に記載の発明は、請求項２に記載の再生装置動作制御システムにおいて、
前記動作指示信号受信手段は、再生装置本体の外面から露出されるように配設され、
前記信号受信遮断手段は、前記動作指示信号受信手段を覆う遮蔽部材を備えることを特徴としている。
【００１０】
請求項４に記載の発明は、請求項２に記載の再生装置動作制御システムにおいて、
前記信号受信遮断手段は、前記動作指示信号受信手段に対して、前記動作制御手段により実行制御不可の動作の指示に係る実行不可動作指示信号を所定周期で送信する実行不可信号送信手段を備えることを特徴としている。
【００１１】
請求項５に記載の発明は、請求項２〜４の何れか一項に記載の再生装置動作制御システムにおいて、
前記サーバ装置は、前記信号受信遮断手段による前記動作指示信号の受信の遮断に基づいて、前記再生装置が外部からの操作が無効状態であることを報知する報知手段を備えることを特徴としている。
【発明の効果】
【００１２】
請求項１に記載の発明によれば、サーバ装置は、クライアント端末装置から送信され受信された実行動作関連信号に基づいて、再生装置のリモートコントロール装置から送信される動作指示信号と略同一の同一動作指示信号を送信して、再生装置を所定動作させることができるとともに、実行動作関連信号の受信に基づいて、再生装置による動作指示信号の受信を遮断することができる。具体的には、遮蔽部材によって再生装置の動作指示信号受信手段を覆うことができ、さらに、実行不可動作指示信号を所定周期で動作指示信号受信手段に対して送信することによって、当該動作指示信号受信手段による動作指示信号の受信を適正に遮断することができる。
これにより、再生装置のリモートコントロール装置からの遠隔操作を禁止して、再生装置のユーザの意図しない動作を防止することができる。
また、報知手段によって再生装置が外部からの操作が無効状態であることを報知することができ、リモートコントロール装置の誤操作だけでなく、第三者による再生装置本体の所定操作に基づいたユーザの意図しない動作を防止することができる。
【００１３】
請求項２に記載の発明によれば、サーバ装置は、クライアント端末装置から送信され受信された実行動作関連信号に基づいて、再生装置のリモートコントロール装置から送信される動作指示信号と略同一の同一動作指示信号を送信して、再生装置を所定動作させることができるとともに、実行動作関連信号の受信に基づいて、再生装置による動作指示信号の受信を遮断することができる。即ち、再生装置のリモートコントロール装置からの遠隔操作を禁止して、再生装置のユーザの意図しない動作を防止することができる。
【００１４】
請求項３に記載の発明によれば、請求項２に記載の発明と同様の効果が得られるのは無論のこと、特に、遮蔽部材によって再生装置の動作指示信号受信手段を覆うことができ、当該動作指示信号受信手段による動作指示信号の受信を適正に遮断することができる。
【００１５】
請求項４に記載の発明によれば、請求項２に記載の発明と同様の効果が得られるのは無論のこと、特に、実行不可動作指示信号を所定周期で動作指示信号受信手段に対して送信することにより、当該動作指示信号受信手段による動作指示信号の受信を適正に遮断することができる。
【００１６】
請求項５に記載の発明によれば、請求項２〜４の何れか一項に記載の発明と同様の効果が得られるのは無論のこと、特に、報知手段によって再生装置が外部からの操作が無効状態であることを報知することができ、リモートコントロール装置の誤操作だけでなく、第三者による再生装置本体の所定操作に基づいたユーザの意図しない動作を防止することができる。
【発明を実施するための最良の形態】
【００１７】
以下に、本発明について、図面を用いて具体的な態様を説明する。ただし、発明の範囲は、図示例に限定されない。
図１は、本発明を適用した再生装置動作制御システムの好適な一実施形態として例示するクライアント・サーバシステム１００の全体構成を模式的に示した図である。
【００１８】
本実施形態のクライアント・サーバシステム１００は、例えば、一の部屋（例えば、居間等）に配設されたビデオレコーダ１を他の部屋（例えば、寝室等）に存するユーザが無線ネットワークＮを介して遠隔操作する再生装置動作制御処理を実現するシステムである。
具体的には、図１に示すように、クライアント・サーバシステム１００は、例えば、テレビジョン（ＴＶ）装置２が接続されたビデオレコーダ１と、このビデオレコーダ１が接続されたサーバ装置３と、このサーバ装置３と無線ネットワークＮを介して情報通信可能に接続され、サーバ装置３から送信された各種情報を受信するクライアント端末装置４と、このクライアント端末装置４と接続され、クライアント端末装置４にて受信された各種情報を出力するテレビジョン（ＴＶ）装置５等から構成されている。
【００１９】
無線ネットワークＮは、例えば、Bluetooth規格やIEEE（Institute of Electrical and Electronic Engineers）802.11規格に準じた無線ＬＡＮ（Local Area Network）などのネットワークである。
【００２０】
次に、ビデオレコーダ１について図２を参照して説明する。図２は、ビデオレコーダ１の要部構成を示すブロック図である。
ビデオレコーダ１は、例えば、所定の記録媒体に画像情報や音情報等からなるＡＶ情報を記録して、当該ＡＶ情報をＴＶ装置２やサーバ装置３等に出力する再生装置を構成している。具体的には、ビデオレコーダ１は、例えば、図２に示すように、レコーダ本体１１と、このレコーダ本体１１を遠隔操作するためのリモートコントロール装置１２（以下、「リモコン１２」と言う。）等を備えて構成されている。
【００２１】
リモコン１２は、例えば、操作部１２１と、信号送信部１２２と、制御部１２３等を備えている。
【００２２】
操作部１２１は、例えば、レコーダ本体１１による複数の動作の実行を指示する操作を行うためのものである。即ち、操作部１２１は、レコーダ本体１１によるＡＶ情報の再生指示や所定の番組の録画指示や録画予約指示等の所定動作の実行を指示する操作を行うためのものである。
信号送信部１２２は、例えば、動作指示信号送信手段として、操作部１２１の所定操作に応じた動作指示信号を赤外線により送信するものである。
制御部１２３は、例えば、当該リモコン１２の各部を統括的に制御するものである。
【００２３】
レコーダ本体１１は、例えば、信号受信部１１１と、情報記録部１１２と、情報出力部１１３と、操作部１１４と、制御部１１５等を備えている。
【００２４】
信号受信部１１１は、例えば、レコーダ本体１１の外面から露出されるように前面に配設され(図５参照)、動作指示信号受信手段として、リモコン１２の信号送信部１２２やサーバ装置３のＩＲ発信ユニット３２（図５参照；後述）の信号送信部３２１から送信された動作指示信号（赤外線）を受信するものである。
【００２５】
情報記録部１１２は、例えば、ＨＤＤ、ＤＶＤ−Ｒ、メモリーカード等の所定の記録媒体に画像情報や音情報等からなるＡＶ情報を記録するものである。
【００２６】
情報出力部１１３は、例えば、ＴＶ装置２の入力端子（図示略）と接続される出力端子（図示略）を備え、制御部１１５の制御下にて、情報記録部１１２から読み出されるＡＶ情報をＴＶ装置２やサーバ装置３に対して出力するものである。
【００２７】
操作部１１４は、例えば、リモコン１２の操作部１２１と同様に、当該レコーダ本体１１による複数の動作の実行を指示する操作を行うための操作スイッチ（図示略）等を備えている。
そして、操作部１１４は、ユーザにより操作された操作スイッチに基づいて所定動作の実行を指示する動作指示信号を制御部１１５に対して出力するようになっている。
【００２８】
制御部１１５は、例えば、操作部１１４やリモコン１２の所定操作に基づいて入力された動作指示信号に応じた所定動作の実行を制御するものであり、ＣＰＵ（Central Processing Unit）１１５ａと、ＣＰＵ１１５ａにより実行される動作プログラムを固定的に記憶したＲＯＭ（Read Only Memory）１１５ｂと、ワークメモリとして使用されるＲＡＭ（Random Access Memory）１１５ｃ等により構成されている。
具体的には、制御部１１５は、動作制御手段として、例えば、リモコン１２やＩＲ発信ユニット３２から送信され信号受信部１１１により受信された動作指示信号に応じた所定動作を実行させるために当該レコーダ本体１１の各部を制御するものである。
【００２９】
なお、テレビジョン（ＴＶ）装置２は、例えば、ビデオレコーダ１と同様に居間に配設され、当該ビデオレコーダ１と有線接続されている。また、ＴＶ装置２は、例えば、ビデオレコーダ１から出力され入力されたＡＶ情報に基づいて、所定の画像や音を出力する一般的な構成をなすものであり、その詳細な説明については省略するものとする。
【００３０】
次に、クライアント端末装置４について図３を参照して説明する。図３は、クライアント端末装置４の要部構成を示すブロック図である。
クライアント端末装置４は、例えば、寝室に配置され、ビデオレコーダ１に記録されているＡＶ情報の再生や録画や録画予約等に係る指示信号をサーバ装置３に送信し、また、再生を指示する指示信号に従ってサーバ装置３から伝送されるＡＶ情報をテレビジョン（ＴＶ）装置５に出力するものである。具体的には、クライアント端末装置４は、例えば、図３に示すように、端末本体４１と、この端末本体４１を遠隔操作するためのリモコン４２１２等を備えて構成されている。
【００３１】
リモコン４２は、例えば、操作部４２１と、信号送信部４２２と、制御部４２３等を備えている。
【００３２】
操作部４２１は、例えば、サーバ装置３に接続されたビデオレコーダ１による複数の動作のうち、所定動作の実行を指示する操作を行うためのものである。
信号送信部４２２は、例えば、操作部４２１の所定操作に応じた操作信号を赤外線により送信するものである。
制御部４２３は、例えば、当該リモコン４２の各部を統括的に制御するものである。
【００３３】
端末本体４１は、例えば、信号受信部４１１と、無線通信部４１２と、バッファ４１３と、デコーダ４１４と、情報出力部４１５と、制御部４１６等を備えて構成されている。
【００３４】
信号受信部４１１は、例えば、リモコン４２の信号送信部４２２から送信された操作信号（赤外線）を受信するものである。
【００３５】
無線通信部４１２は、例えば、無線ネットワークＮを介して、サーバ装置３との間で各種情報の送受信を行うものであり、サーバ装置３との間で無線信号の送受信を行うためのアンテナ４１２ａやＲＦ（Radio Frequency）変換器（図示省略）、Bluetooth規格やIEEE802.11規格に準じた無線ＬＡＮに接続するための無線ＬＡＮカード（図示省略）等を備えている。
【００３６】
また、無線通信部４１２は、例えば、制御部４１６の制御下にて、リモコン４２の所定操作に基づいて指示されたビデオレコーダ１によるＡＶ情報の再生や録画や録画予約等の所定動作（複数の動作のうちの一の動作）の実行を指示する指示信号（実行動作関連信号）をサーバ装置３に無線ネットワークＮを介して送信するようになっている。
ここで、無線通信部４１２は、ビデオレコーダ１による所定動作の実行指示に関連する実行動作関連信号（指示信号）を送信する関連信号送信手段を構成している。
【００３７】
また、無線通信部４１２は、例えば、送信した再生を指示する指示信号に基づいてビデオレコーダ１から取得されてサーバ装置３の無線通信部３１３から送信されたＡＶ情報（圧縮ＡＶ情報）を受信するようになっている。
【００３８】
バッファ４１３は、例えば、サーバ装置３から送信され、無線通信部４１２により受信した動作指示信号に対応したＡＶ情報（圧縮ＡＶ情報）を一時的に記憶するものである。
【００３９】
デコーダ４１４は、例えば、バッファ４１３に記憶された圧縮ＡＶ情報に対して当該圧縮ＡＶ情報のファイル形式に応じた処理を施し、当該圧縮ＡＶ情報をＡＶ情報にデコードするものである。
【００４０】
情報出力部４１５は、例えば、ＴＶ装置２の入力端子（図示略）と接続される出力端子（図示略）を備え、制御部４１５の制御下にて、デコーダ４１４によりデコードされたＡＶ情報をＴＶ装置２に対して出力するものである。
【００４１】
制御部４１６は、例えば、各部を統括的に制御するものであり、具体的には、ＣＰＵ４１６ａと、ＣＰＵ４１６ａにより実行される動作プログラムを固定的に記憶したＲＯＭ４１６ｂと、ワークメモリとして使用されるＲＡＭ４１６ｃ等により構成されている。
【００４２】
なお、テレビジョン（ＴＶ）装置５は、例えば、クライアント端末装置４と同様に寝室に配設され、当該クライアント端末装置４と有線接続されている。また、ＴＶ装置５は、例えば、クライアント端末装置４から出力され入力されたＡＶ情報に基づいて、所定の画像や音を出力する一般的な構成をなすものであり、その詳細な説明については省略するものとする。
【００４３】
次に、サーバ装置３について図４及び図５を参照して説明する。
図４は、サーバ装置３の要部構成を示すブロック図である。また、図５は、サーバ装置３を構成するＩＲ発信ユニット３２がビデオレコーダ１に取り付けられた状態を模式的に示した図である。
【００４４】
サーバ装置３は、例えば、居間に配置され、クライアント端末装置４から送信される指示信号に応じた動作指示信号をビデオレコーダ１に対して送信し、動作指示信号に従ってビデオレコーダ１から出力されるＡＶ情報をクライアント端末装置４に伝送するものである。
具体的には、サーバ装置３は、例えば、図４及び図５に示すように、サーバ装置本体３１と、ビデオレコーダ１の所定位置にセットされるＩＲ発信ユニット３２等を備えて構成されている。
【００４５】
サーバ装置本体３１は、例えば、情報入力部３１１と、エンコーダ３１２と、無線通信部３１３と、制御部３１４等を備えて構成されている。
【００４６】
情報入力部３１１は、例えば、ビデオレコーダ１の出力端子（図示略）と接続される入力端子（図示略）を備え、当該入力端子を介してビデオレコーダ１から出力されるＡＶ情報が入力されるものである。
【００４７】
エンコーダ３１２は、例えば、情報入力部３１１を介してビデオレコーダ１からサーバ装置３に入力される画像情報や音情報等のＡＶ情報を、所定のファイル形式の圧縮ＡＶ情報にエンコードするものである。具体的には、エンコーダ３１２は、例えば、ビデオレコーダ１からサーバ装置３に入力される画像情報のうち、動画像情報をＭＰＥＧ−２（Moving Picture Experts Group phase 2）形式などの圧縮画像情報にエンコードしたり、静止画像情報をＪＰＥＧ（Joint Photographic Experts Group）形式などの圧縮画像情報にエンコードするようになっている。
【００４８】
無線通信部３１３は、例えば、無線ネットワークＮを介してクライアント端末装置４との間で各種情報の送受信を行うものであり、クライアント端末装置４の無線通信部４１２と略同様の構成をなしている。即ち、無線通信部３１３は、クライアント端末装置４との間で無線信号の送受信を行うためのアンテナ３１３ａやＲＦ変換器（図示省略）、Bluetooth規格やIEEE802.11規格に準じた無線ＬＡＮに接続するための無線ＬＡＮカード（図示省略）などを備えている。
【００４９】
また、無線通信部３１３は、例えば、関連信号受信手段として、クライアント端末装置４の無線通信部４１２から送信されたビデオレコーダ１による所定動作の実行を指示する指示信号を受信するようになっている。
【００５０】
また、無線通信部３１３は、例えば、エンコーダ３１２によりエンコードされた圧縮ＡＶ情報等をクライアント端末装置４の無線通信部４１２に送信するようになっている。
【００５１】
制御部３１４は、例えば、各部を統括的に制御するものであり、具体的には、ＣＰＵ３１４ａと、ＣＰＵ３１４ａにより実行される動作プログラムを固定的に記憶したＲＯＭ３１４ｂと、ワークメモリとして使用されるＲＡＭ３１４ｃ等により構成されている。
【００５２】
ＲＯＭには、例えば、動作指示信号送信制御プログラム、信号受信遮断プログラム（図示略）等が記憶されている。
【００５３】
動作指示信号送信制御プログラムは、例えば、無線通信部３１３により受信されたビデオレコーダ１の所定動作の指示に係る指示信号に基づいて、当該ビデオレコーダ１の所定動作を指示する動作指示信号（同一動作指示信号）をＩＲ発信ユニット３２の信号送信部３２１から送信させる動作指示信号送信処理に係る機能を制御部３１４のＣＰＵ３１４ａに実現させるためのプログラムである。即ち、動作指示信号送信制御プログラムは、ＣＰＵ３１４ａによって、ビデオレコーダ１のリモコン１２の操作に基づいて所定動作の実行が指示された場合に当該リモコン１２の信号送信部１２２から送信される動作指示信号と略同一の動作指示信号（同一動作指示信号）を信号送信部３２１から送信させるためのプログラムである。
ここで、制御部３１４のＣＰＵ３１４ａは、信号送信部３２１と協働して同一信号送信手段を構成している。
【００５４】
信号受信遮断プログラムは、例えば、無線通信部３１３による指示信号の受信に基づいて、ビデオレコーダ１のリモコン１２から送信される動作指示信号の信号受信部１１１による受信を遮断する信号受信遮断処理に係る機能を制御部３１４のＣＰＵ３１４ａに実現させるためのプログラムである。
即ち、信号受信遮断プログラムは、例えば、無線通信部３１３による指示信号の受信に基づいて、ＩＲ発信ユニット３２のシャッター駆動部３２２（後述）を制御して、シャッター３２３を閉動作させる処理に係る機能をＣＰＵ３１４ａに実現させるためのプログラムである。ここで、制御部３１４のＣＰＵ３１４ａは、シャッター駆動部３２２及びシャッター３２３と協働して信号受信遮断手段を構成している。
また、信号受信遮断プログラムは、例えば、無線通信部３１３による指示信号の受信に基づいて、信号受信部１１１に対してビデオレコーダ１の制御部１１５により実行制御不可の動作の指示に係る実行不可動作指示信号を所定周期で送信させる処理に係る機能をＣＰＵ３１４ａに実現させるためのプログラムである。具体的には、信号受信遮断プログラムは、制御部３１４の制御下にて、ビデオレコーダ１の動作指示としては無効なコマンド等のジャミング信号を連続的に信号送信部３２１から送信させるためのプログラムである。ここで、制御部３１４のＣＰＵ３１４ａは、信号送信部３２１と協働して実行不可信号送信手段を構成している。
【００５５】
ＩＲ発信ユニット３２は、例えば、サーバ装置本体３１と所定のケーブルＣを介して接続され、レコーダ本体１１の信号受信部１１１に対して効率良く赤外線を送信することができる位置、具体的には、信号受信部１１１の略直上に配置されるものである。また、ＩＲ発信ユニット３２は、例えば、信号送信部３２１と、シャッター駆動部３２２と、シャッター３２３と、ＬＥＤ３２４等を備えて構成されている。
【００５６】
信号送信部３２１は、例えば、ビデオレコーダ１のリモコン１２の信号送信部１２２と略同様の構成をなし、サーバ装置本体３１から送られてくる動作指示信号（同一動作指示信号）を赤外線により送信するものである。
【００５７】
シャッター駆動部３２２は、例えば、シャッター３２３を開閉動作させるための駆動モータ（図示略）、当該駆動モータの駆動力をシャッター３２３に伝達する駆動力伝達部材（図示略）等を備えている。
シャッター（遮蔽部材）３２３は、例えば、信号受信部１１１のすぐ手前側に設けられ、所定のシャッター取付部３２５（図５にあっては、一部図示）に取り付けられた上下２枚の板状部材を備えている。そして、板状部材が閉じられた状態では、信号受信部１１１をほぼ完全に覆った状態となり、また、板状部材が開けられた状態となることで、ビデオレコーダ１のリモコン１２から送信される動作指示信号を受信することができるようになる。
【００５８】
ＬＥＤ（報知手段）３２４は、例えば、制御部３１４の制御下にて、信号受信遮断処理にてビデオレコーダ１のリモコン１２から送信される動作指示信号の受信の遮断に基づいて、発光して当該ビデオレコーダ１が外部からの操作が無効状態であることを報知するものである。
【００５９】
次に、クライアント・サーバシステム１００による再生装置動作制御処理について図６を参照して説明する。
図６は、再生装置動作制御処理に係る動作の一例を示すフローチャートである。
【００６０】
図６に示すように、サーバ装置３とクライアント端末装置４との無線リンクが確立されて（ステップＳ１）、リモコン４２の所定操作に基づいてクライアント端末装置４の無線通信部４１２から送信され、ビデオレコーダ１による所定動作の実行を指示する指示信号が無線通信部３１３にて受信されると（ステップＳ２）、サーバ装置３の制御部３１４は、動作指示信号送信処理を実行制御する（ステップＳ３）。
即ち、制御部３１４のＣＰＵ３１４ａは、ＲＯＭ３１４ｂから読み出した動作指示信号送信制御プログラムの実行に基づいて、指示信号に応じたビデオレコーダ１の所定動作を指示する動作指示信号（同一動作指示信号）をＩＲ発信ユニット３２の信号送信部３２１からビデオレコーダ１の信号受信部１１１に送信させる。これにより、ビデオレコーダ１の制御部１１５の制御下にて、所定の動作が実行制御される。
【００６１】
続けて、サーバ装置３の制御部３１４は、信号受信遮断処理を実行制御する（ステップＳ４）。即ち、制御部３１４のＣＰＵ３１４ａは、ＲＯＭ３１４ｂから読み出した信号受信遮断プログラムの実行に基づいて、ＩＲ発信ユニット３２のシャッター駆動部３２２を制御してシャッター３２３を閉動作させるとともに、信号送信部３２１からジャミング信号を連続的に送信させて、ビデオレコーダ１のリモコン１２から送信される動作指示信号の信号受信部１１１による受信を遮断する。さらに、制御部３１４のＣＰＵ３１４ａは、ＲＯＭ３１４ｂから読み出した所定の制御プログラムの実行に基づいて、ＩＲ発信ユニット３２のＬＥＤ３２４を発光状態とする処理を行う（ステップＳ５）。
【００６２】
そして、サーバ装置３とクライアント端末装置４との無線リンクが確立されている際に（ステップＳ６；ＹＥＳ）、リモコン４２の所定操作に基づいてクライアント端末装置４の無線通信部４１２から指示信号が送信され、サーバ装置３の無線通信部３１３にて受信されると（ステップＳ７；ＹＥＳ）、制御部３１４のＣＰＵ３１４ａは、信号送信部３２１からのジャミング信号の送信を停止させた後（ステップＳ８）、動作指示信号送信制御プログラムの実行に基づいて、動作指示信号送信処理を実行制御する（ステップＳ９）。
その後、ＣＰＵ３１４ａは、信号受信遮断プログラムの実行に基づいて、信号送信部３２１からジャミング信号の再送信を開始させた後（ステップＳ１０）、ステップＳ６に移行して、それ以降の処理を実行制御する。
【００６３】
一方、サーバ装置３とクライアント端末装置４との無線リンクが解除されると（ステップＳ６；ＮＯ）、ＣＰＵ３１４ａは、信号送信部３２１からのジャミング信号の送信を停止させた後（ステップＳ１１）、ＩＲ発信ユニット３２のシャッター駆動部３２２を制御してシャッター３２３を開動作させる（ステップＳ１２）。これにより、ビデオレコーダ１は、そのリモコン１２による外部操作が可能な状態となる。
その後、ＣＰＵ３１４ａは、ＩＲ発信ユニット３２のＬＥＤ３２４を制御してその発光を停止（消灯）させる処理を行う。
【００６４】
以上のように、本実施形態のクライアント・サーバシステム１００によれば、サーバ装置３は、クライアント端末装置４から送信され受信された指示信号に応じた所定の動作指示信号を送信して、ビデオレコーダ１を所定動作させることができるとともに、指示信号の受信に基づいて、リモートコントロール装置１２から送信される動作指示信号の信号受信部１１１による受信を遮断することができる。
具体的には、シャッター３２３によってビデオレコーダ１の信号受信部１１１を覆うことができ、さらに、ジャミング信号を連続して信号受信部１１１に送信することによって、当該信号受信部１１１による動作指示信号の受信を適正に遮断することができる。特に、ＩＲ発信ユニット３２は、ビデオレコーダ１に対して後付けされるため、シャッター３２３だけではビデオレコーダ１とＩＲ発信ユニット３２との間に隙間が生じてしまう場合があるが、かかる場合であっても、ジャミング信号を送信することによって、リモートコントロール装置１２の誤操作等に基づいて送信された動作指示信号が信号受信部１１１により受信されてしまうの適正に防止することができる。
これにより、ビデオレコーダ１のリモートコントロール装置１２からの遠隔操作を禁止して、ビデオレコーダ１のユーザの意図しない動作を防止することができる。
【００６５】
また、ＬＥＤ３２４によってビデオレコーダ１が外部からの操作が無効状態であることを報知することができ、リモートコントロール装置１２の誤操作だけでなく、第三者によるレコーダ本体１１の所定操作に基づいたユーザの意図しない動作を防止することができる。
【００６６】
さらに、信号遮断処理にてジャミング信号を送信しても、シャッター３２３によってジャミング信号が外部に漏れて他の電子機器（図示略）に対して悪影響を及ぼすのを防止することができる。
【００６７】
なお、本発明は、上記実施形態に限定されることなく、本発明の趣旨を逸脱しない範囲において、種々の改良並びに設計の変更を行っても良い。
例えば、上記実施形態では、クライアント端末装置４の無線通信部４１２は、ビデオレコーダ１による所定動作の実行を指示する指示信号（実行動作関連信号）を送信し、当該指示信号を受信したサーバ装置３が、指示信号に応じた所定の動作指示信号（同一動作指示信号）をＩＲ発信ユニット３２から送信するようにしたが、例えば、クライアント端末装置４の無線通信部４１２は、実行動作関連信号として動作指示信号を直接サーバ装置３に送信するようにしても良い。即ち、クライアント端末装置４は、リモコン４２の所定操作に基づいて当該リモコン４２から送信された指示信号を信号受信部４１１にて受信すると、制御部４１６の制御下にて、当該指示信号に応じた動作指示信号を生成して、無線通信部４１２からサーバ装置３に送信するようにしても良い。
【００６８】
また、上記実施形態では、信号受信遮断手段として、シャッター３２３及び実行不可動作指示信号送信手段としての信号送信部３２１を備えるようにしたが、必ずしもこれらを両方とも備える必要はない。即ち、本発明に係る再生装置動作制御システムにあっては、シャッター３２３及び実行不可動作指示信号送信手段のうち、少なくとも何れか一方を備えていれば良い。
【００６９】
さらに、上記実施形態では、再生装置として、ビデオレコーダ１を例示したが、これに限られるものではなく、例えば、ＢＳ放送やＣＳ放送のチューナ、ＳＴＢ（Set Top Box）、ＣＤプレイヤ、ＤＶＤプレイヤ、オーディオ装置等の少なくとも所定情報の再生機能を有するものならば如何なるものであっても良い。
【００７０】
また、本発明にあっては、再生装置に替えて、録画予約を実行可能な録画装置を設け、上記のクライアント・サーバシステム１００により録画予約動作を制御可能とするようにしても良い。即ち、再生装置のＡＶ情報がサーバ装置３からクライアント端末装置４に対して必ずしも送信される必要はなく、例えば、クライアント端末装置４のリモコン４２の所定操作に基づいて録画装置の録画予約動作の実行を制御して、録画予約状態及び録画実行状態にて録画装置のリモコンによる操作を無効とするようにしても良い。
これにより、録画装置が録画予約状態や録画実行状態であるときに、ユーザ以外の第三者等（例えば、他の家族等）により録画装置が操作されて録画動作が不実行となることを防止することができる。
なお、録画予約の際には、そのチャンネルや時間等の指定・確認はクライアント端末装置４に接続されたＴＶ装置５を表示装置として用いることが好ましい。
【００７１】
さらに、上記実施形態では、遮断手段として機械的に駆動するシャッター３２３を例示したが、これに限られるものではなく、例えば、液晶パネルの液晶の並び方向を変更することで赤外光の透過状態と吸収状態とを切り替えることで動作指示信号（赤外線）の受信を遮断自在とするような構成としても良い。
【００７２】
また、上記実施形態では、ビデオレコーダ１を外部から操作できない状態であることを報知するＬＥＤ３２４を設けるようにしたが、報知手段としてのＬＥＤ３２４を設けるか否かは適宜変更することができる。
【００７３】
加えて、上記実施形態では、サーバ装置３は、クライアント端末装置４から送信された指示信号の受信に基づいて、信号受信遮断処理を行うようにしたが、これに限られるものではなく、例えば、クライアント端末装置４との無線リンクが確立した状態で、信号受信遮断処理を行うようにしても良い。
【００７４】
また、上記実施形態では、サーバ装置３とクライアント端末装置４とが無線ネットワークＮを介して接続されたものを例示したが、これに限られるものではなく、例えば、有線接続されたものであっても良い。
【００７５】
さらに、上記実施形態では、サーバ装置３にＡＶ情報をエンコードするエンコーダ３１２を設けるようにしたが、これに限られるものではなく、例えば、ビデオレコーダ１にエンコーダ３１２を設け、このエンコーダ３１２により圧縮された圧縮ＡＶ情報がサーバ装置３に対して出力され、当該サーバ装置３を介してクライアント端末装置４に送信されるような構成としても良い。
【図面の簡単な説明】
【００７６】
【図１】本発明を適用した再生装置動作制御システムの好適な一実施形態として例示するクライアント・サーバシステムの全体構成を模式的に示した図である。
【図２】図１のクライアント・サーバシステムを構成するビデオレコーダの要部構成を示すブロック図である。
【図３】図１のクライアント・サーバシステムを構成するクライアント端末装置の要部構成を示すブロック図である。
【図４】図１のクライアント・サーバシステムを構成するサーバ装置の要部構成を示すブロック図である。
【図５】図４のサーバ装置を構成するＩＲ発信ユニットがビデオレコーダに取り付けられた状態を模式的に示した図である。
【図６】図１のクライアント・サーバシステムによる再生装置動作制御処理に係る動作の一例を示すフローチャートである。
【図７】従来のクライアント・サーバシステムに備わるサーバ装置を構成するＩＲ発信ユニットがビデオレコーダに取り付けられた状態を模式的に示した図である。
【符号の説明】
【００７７】
１００  クライアント・サーバシステム（再生装置動作制御システム）
１      ビデオレコーダ（再生装置）
１１      レコーダ本体
１１１  信号受信部（動作指示信号受信手段）
１１５  制御部（動作制御手段）
１２    リモートコントロール装置
１２２  信号送信部（動作指示信号送信手段）
３      サーバ装置
３１    サーバ装置本体
３１３  無線通信部（再生情報送信手段、関連信号受信手段）
３１４  制御部（実行不可信号送信手段）
３２    ＩＲ発信ユニット
３２１  信号送信部（同一信号送信手段、信号受信遮断手段、実行不可信号送信手段）
３２３  シャッター（遮蔽部材、信号受信遮断手段）
４      クライアント端末装置
４１    端末本体
４１２  無線通信部（再生情報受信手段、関連信号送信手段）
４２    リモートコントロール装置
Ｎ      無線ネットワーク（無線通信回線）
【図１】
2007318231.tif 000003
【図２】
2007318231.tif 000004
【図３】
2007318231.tif 000005
【図４】
2007318231.tif 000006
【図５】
2007318231.tif 000007
【図６】
2007318231.tif 000008
【図７】
2007318231.tif 000009